(57)【要約】【課題】画質劣化が発生し難い撮影条件への設定変更を促すと共に、画質劣化に対する過補正を防ぐ。【解決手段】撮像素子と、撮像素子の温度を測定する温度センサと、画質劣化を補正可能な上限値である撮像素子の基準温度を予め記憶する記憶手段と、撮像素子による撮影モード時に測定された撮像素子の実温度が、基準温度を上回っているか否かを判断する第１の判断手段と、第１の判断手段により、実温度が基準温度を上回っていると判断されたとき、画質劣化が発生する旨を報知する報知手段と、を含む。【選択図】図１
2014039206.tif 000002
【特許請求の範囲】
【請求項１】
撮像素子と、
前記撮像素子の温度を測定する温度センサと、
画質劣化を補正可能な上限値である前記撮像素子の基準温度を予め記憶する記憶手段と、
前記撮像素子による撮影モード時に前記測定された前記撮像素子の実温度が、前記基準温度を上回っているか否かを判断する第１の判断手段と、
前記第１の判断手段により、前記実温度が前記基準温度を上回っていると判断されたとき、前記画質劣化が発生する旨を報知する報知手段と、
を含むことを特徴とする撮像装置。
【請求項２】
前記第１の判断手段により、前記実温度が前記基準温度を上回っていると判断されたとき、前記報知手段は、感度又は露光時間の何れか一方の設定値を制限する旨を報知することを特徴とする請求項１に記載の撮像装置。
【請求項３】
前記第１の判断手段により、前記実温度が前記基準温度を上回っていると判断されたとき、感度又は露光時間の何れか一方の設定値の変更を選択させる選択手段をさらに含むことを特徴とする請求項１又は２に記載の撮像装置。
【請求項４】
前記記憶手段は、前記撮像素子の温度と感度との組み合わせから成る複数の欠陥画素情報を予め記憶しておき、前記撮像素子による撮影モード時に前記測定された前記撮像素子の実温度及び設定された感度との組み合わせが、前記複数の欠陥画像情報の中の何れかに該当するか否かを判断する第２の判断手段を含み、前記第２の判断手段により、前記撮像素子の実温度及び設定された感度との組み合わせが、前記複数の欠陥画像情報の何れかに該当すると判断されたとき、前記該当する欠陥画素情報を用いて画質劣化を補正する補正手段をさらに含むことを特徴とする請求項１から３の何れか１項に記載の撮像装置。
【請求項５】
前記第２の判断手段により、前記撮像素子の実温度及び設定された感度との組み合わせが、前記複数の欠陥画像情報の中の何れにも該当しないと判断されたとき、前記温度センサにより前記撮像素子の温度が測定されることを特徴とする請求項４に記載の撮像装置。
【請求項６】
撮像素子と、前記撮像素子の温度を測定する温度センサと、画質劣化を補正可能な上限値である前記撮像素子の基準温度を予め記憶する記憶手段とを備える撮像装置の制御方法であって、
第１の判断手段が、前記撮像素子による撮影モード時に前記測定された前記撮像素子の実温度が、前記基準温度を上回っているか否かを判断する工程と、
前記判断する工程により、前記実温度が前記基準温度を上回っていると判断されたとき、報知手段が、前記画質劣化が発生する旨を報知する工程と、
を含むことを特徴とする制御方法。
【請求項７】
撮像素子と、前記撮像素子の温度を測定する温度センサと、画質劣化を補正可能な上限値である前記撮像素子の基準温度を予め記憶する記憶手段とを備える撮像装置のコンピュータに実行させるプログラムであって、
第１の判断手段が、前記撮像素子による撮影モード時に前記測定された前記撮像素子の実温度が、前記基準温度を上回っているか否かを判断する処理と、
前記判断する処理により、前記実温度が前記基準温度を上回っていると判断されたとき、報知手段が、前記画質劣化が発生する旨を報知する処理と、
を含むことを特徴とするプログラム。
【発明の詳細な説明】
【技術分野】
【０００１】
本発明は、撮像装置、その制御方法、及びプログラムに関する。
【背景技術】
【０００２】
デジタルスチルカメラ（以下、「デジタルカメラ」という。）等の撮像装置において、生産及び検査工程において、予め、イメージセンサの欠陥画素位置情報をメモリに記憶しておき、撮影時に、当該記憶された欠陥画素位置情報に基づいて、欠陥画素を補正する技術が既に知られている。
【０００３】
特許文献１には、撮像装置において、撮影時の撮像素子の温度又は露光時間が変化しても、撮像素子のキズ及びフォトダイオードの暗電流の完全な補正をすることができる撮像装置を提供することを目的として、撮像素子のキズデータを露光時間と温度とを組み合わせた条件にマトリクス状に記憶しておき、撮影時の露光時間又は温度の情報により、当該マトリクス状に記憶されたキズデータから１組を選択し、キズの補正を行う技術が開示されている。
【発明の概要】
【発明が解決しようとする課題】
【０００４】
しかしながら、従来のデジタルカメラの欠陥画素補正における補正能力の限界は、生産工程での欠陥画素検査で検出及び登録された欠陥画素であり、その検出個数は、検査時のイメージセンサの温度に依存する。例えば、イメージセンサの温度が１０℃上昇すると、欠陥画素の数は約２倍になることが知られている。そのため、撮影時のイメージセンサの温度が検査時のイメージセンサの温度を上回ると、補正できない欠陥画素が発生し、逆に撮影時のイメージセンサの温度が検査時のイメージセンサの温度をある程度下回ると、欠陥画素の過補正により、画質が劣化するという可能性があった。
【０００５】
また、特許文献１には、撮影時の撮像素子の温度を監視すること、及び撮影時の温度情報により補正データを選択する技術が開示されている。しかしながら、撮像装置において、撮影時の撮像素子の温度が上昇し、欠陥画素の補正能力の限界を超えた際の画質劣化を防止することはできない。また、電源ＯＦＦ時の遮光画像から欠陥画素の検出を行う点については、欠陥画素補正データが、電源ＯＦＦ時のイメージセンサ温度に依存しており、イメージセンサ温度に対応した欠陥画素の補正について改良の余地がある。
【０００６】
そこで本発明は、上記課題を鑑みてなされたものであって、欠陥画素が発生し難い撮影条件への設定変更を促すと共に、欠陥画素の過補正に伴う画質劣化を防ぐことができる撮像装置、その制御方法、及びプログラムを提供することを目的とする。
【課題を解決するための手段】
【０００７】
上記課題を解決するため、請求項１に記載の本発明における撮像装置は、撮像素子と、前記撮像素子の温度を測定する温度センサと、画質劣化を補正可能な上限値である前記撮像素子の基準温度を予め記憶する記憶手段と、前記撮像素子による撮影モード時に前記測定された前記撮像素子の実温度が、前記基準温度を上回っているか否かを判断する第１の判断手段と、前記第１の判断手段により、前記実温度が前記基準温度を上回っていると判断されたとき、前記画質劣化が発生する旨を報知する報知手段と、を含むことを特徴とする。
【発明の効果】
【０００８】
本発明によれば、撮影者が意図しない欠陥画素の補正限界を超えた状態での撮影を防止すると共に、欠陥画素の過補正に伴う画質劣化を防ぐことが可能な撮像装置、その制御方法、及びプログラムを得ることができる。
【図面の簡単な説明】
【０００９】
【図１】本発明の実施形態に係る撮像装置におけるデジタルカメラの概略機能ブロック図である。
【図２】本発明の実施形態に係る撮像装置におけるデジタルカメラの外観構成について説明する図であり、（ａ）正面図、（ｂ）背面図、（ｃ）上面図である。
【図３】本発明の実施形態に係る撮像装置におけるデジタルカメラのシステム構成について説明するブロック図である。
【図４】本発明の実施形態に係る撮像装置において、電源ＯＮから画質劣化を通知するまでの動作について説明するフロー図である。
【図５】本発明の実施形態に係る撮像装置において、電源ＯＮから画質劣化を通知するまでの動作について説明するフロー図である。
【図６】本発明の実施形態に係る撮像装置において、図４のフロー図におけるステップ１４（Ｓ１４）及び図５のフロー図におけるステップ２４（Ｓ２４）におけるＬＣＤモニタに表示されるメッセージについて説明する図である。
【図７】本発明の実施形態に係る撮像装置において、生産工程で登録された撮影時に使用される欠陥画素情報について説明する図である。
【図８】本発明の実施形態に係る撮像装置において、撮影時の動作について説明するフロー図である。
【発明を実施するための形態】
【００１０】
次に、本発明を実施するための形態について図面を参照して詳細に説明する。なお、各図中、同一又は相当する部分には同一の符号を付しており、その重複説明は適宜に簡略化乃至省略する。
【００１１】
本発明は、要するに、撮像時のデジタルカメラのイメージセンサの温度を監視し、生産工程で欠陥画素検査をした際のセンサの温度を超えている場合には、欠陥画素の補正限界を超えていると判断し、撮影者に画質劣化の可能性を知らせ、欠陥画素が発生し難い撮影条件への設定変更を促す。例えば、撮影露光時間を短くする、又は感度設定を低感度側に変更することの何れか一方を促す、又はデジタルカメラの露光時間の長さ、感度設定の何れか一方を制限する。
【００１２】
また、生産工程での欠陥画素検査においては、イメージセンサの温度管理を行い、所定の間隔を持って温度とＩＳＯ（International Organization for Standardization）感度毎に欠陥画素の検出及び登録を行い、撮影時にはイメージセンサの温度及びＩＳＯ感度に対応した欠陥画素位置情報を使用した欠陥画素補正を行うことにより、欠陥画素の過補正による画質劣化を防ぐことが特徴になっている。この本発明の特徴について、以下の図面を用いて詳細に解説する。
【００１３】
まず最初に、本発明の実施形態に係る撮像装置におけるデジタルカメラの機能について説明する。図１は、本発明の実施形態に係る撮像装置におけるデジタルカメラの概略機能ブロック図である。
【００１４】
本発明の実施形態に係る撮像装置におけるデジタルカメラは、図１に示すように、ＣＣＤ（Charge Coupled Device）イメージセンサ（１０１）である撮像素子と、ＣＣＤイメージセンサ（１０１）の温度を測定する温度センサ（１０１−５）と、撮像された画像の画質劣化を補正することが可能な上限値であるＣＣＤイメージセンサ（１０１）の基準温度を予め記憶するＲＯＭ（Read Only Memory）（１０８）である記憶手段と、ＣＣＤイメージセンサ（１０１）による撮影モード時に測定されたＣＣＤイメージセンサ（１０１）の温度が、上記基準温度を上回っているか否かを判断するＣＰＵ（Central Processing Unit）ブロック（１０４−３）である第１の判断手段と、ＣＰＵブロック（１０４−３）によって、ＣＣＤイメージセンサ（１０１）の温度が上記基準温度を上回っていると判断されたとき、画像の画質劣化が発生する旨を報知するＬＣＤ（Liquid Crystal Display）モニタ（５）である報知手段と、から構成される。
【００１５】
次に、本発明の実施形態に係る撮像装置におけるデジタルカメラついて説明する。図２は、本発明の実施形態に係る撮像装置におけるデジタルカメラの外観構成について説明する図であり、（ａ）正面図、（ｂ）背面図、（ｃ）上面図である。図２において、（ａ）及び（ｃ）に示すように、デジタルカメラ本体の正面、及び上面には、レリーズスイッチ又はレリーズシャッタＳＷ１、モードダイヤルスイッチＳＷ２、及びジョグダイヤル１スイッチＳＷ３が配置されている。また、ストロボ発光部１、測距ユニット２、光学ファインダ３、及び撮影レンズを含む鏡胴ユニット４が設けられている。
【００１６】
図２（ｂ）に示すデジタルカメラの背面には、ＬＣＤモニタ５、ジョグダイヤル２スイッチＳＷ４、ズームスイッチ［ＴＥＬＥ］ＳＷ５、ズームスイッチ［ＷＩＤＥ］ＳＷ６、上スイッチＳＷ７、右スイッチＳＷ８、ＯＫスイッチＳＷ９、左スイッチＳＷ１０、下スイッチ兼マクロスイッチＳＷ１１、ディスプレイスイッチＳＷ１２、削除スイッチＳＷ１３、メニュースイッチＳＷ１４、及び電源スイッチＳＷ１５が設けられている。また、カメラ本体の側面には電池蓋６が設けられている。
【００１７】
次に、本発明に実施形態に係る撮像装置におけるデジタルカメラのシステム構成について説明する。図３は、本発明の実施形態に係る撮像装置におけるデジタルカメラのシステム構成について説明するブロック図である。
【００１８】
図３において、ディタルスチルカメラプロセッサ（以下、「プロセッサ」ともいう。）１０４は、ＣＣＤ１信号処理ブロック（１０４−１）、ＣＣＤ２信号処理ブロック（１０４−２）、ＣＰＵブロック（１０４−３）、ＬＯＣＡＬ  ＳＲＡＭ（Static Random Access Memory）（１０４−４）、ＵＳＢ（Universal Serial Bus）ブロック（１０４−５）、シリアルブロック（１０４−６）、画像の圧縮・伸長を行うブロックであるＪＰＥＧ（Joint Photographic Experts Group）  ＣＯＤＥＣブロック（１０４−７）、ＲＥＳＩＺＥブロック（１０４−８）、画像データを液晶モニタ・ＴＶ等の表示機器に表示させるためのビデオ信号に変換するブロックであるＴＶ信号表示ブロック（１０４−９）、及び撮影画像データを記録するメモリカードの制御を行うブロックであるメモリカードコントローラブロック（１０４−１０）を有している。これらの各ブロックは相互にバスラインで接続されている。
【００１９】
図３に示す通り、このデジタルカメラは、鏡胴ユニット（４）の各撮影レンズ系を通して入射される被写体画像が受光面上に結像する固体撮像素子としてのＣＣＤイメージセンサ（１０１）を備え、Ｆ／Ｅ−ＩＣ（Integrated Circuit）（１０２）に被写体画像信号が出力される。温度センサ（１０１−５）はＣＣＤイメージセンサ（１０１）の温度を測定し、その結果を出力する。
【００２０】
Ｆ／Ｅ−ＩＣ（１０２）は、相関二重サンプリングで入射光に応じた信号レベルの差分をとるＣＤＳ（硫化カドミウム）セル（１０２−１）、入力信号の強弱を補正するＡＧＣ（Auto Gain Control）（１０２−２）、アナログ信号をデジタル信号に変換するＡ（Analog）／Ｄ（Digital）（１０２−３）から構成され、ＣＣＤ１信号処理ブロック（１０４−１）にデジタル信号を出力する。これらの信号制御処理は、プロセッサ（１０４）のＣＣＤ１信号処理ブロック（１０４−１）から出力される垂直同期信号ＶＤ・水平同期信号ＨＤにより、ＴＧ（１０２−４）を介して行われる。
【００２１】
鏡胴ユニット（４）は、ＺＯＯＭレンズ（７−１ａ）、ＦＯＣＡＳレンズ（７−２ａ）、絞り（７−３ａ）、及びメカシャッタ（７−４ａ）を備えており、ＺＯＯＭ光学系（７−１）、ＦＯＣＡＳ光学系（７−２）、絞りユニット（７−３）、及びメカシャッタユニット（７−４）は、それぞれＺＯＯＭモータ（７−１ｂ）、ＦＯＣＡＳモータ（７−２ｂ）、絞りモータ（７−３ｂ）、及びメカシャッタモータ（７−４ｂ）を有し、各モータは、モータドライバ（７−５）によって駆動される。
【００２２】
モータドライバ（７−５）は、プロセッサ（１０４）からの駆動信号により駆動制御される。プロセッサ（１０４）は、Ｆ／Ｅ−ＩＣ（１０２）のＴＧ（１０２−４）に対して画面水平同期信号ＨＤと画面垂直同期信号ＶＤの出力を行い、これらの同期信号に合わせて、Ｆ／Ｅ−ＩＣ（１０２）のＡ／Ｄ（１０２−３）から出力されるＲＡＷ−ＲＧＢデータをＣＣＤ１信号処理ブロック（１０４−１）で取り込む。
【００２３】
ＳＤＲＡＭ（Synchronous Dynamic RAM）（１０３）には、ＣＣＤ１信号処理ブロック（１０４−１）に取り込まれたＲＡＷ−ＲＧＢデータが保存されると共に、ＣＣＤ２信号処理ブロック２（１０４−２）で変換処理されたＹＵＶ形式の画像データであるＹＵＶデータが保存され、さらにＪＰＥＧ  ＣＯＤＥＣブロック（１０４−７）で圧縮処理されたＪＰＥＧ形式等の画像データが保存される。なお、ＹＵＶデータのＹＵＶは、輝度データのＹと、輝度データと青色（Ｂｌｕｅ）成分データの差分である色差のＵと、輝度データと赤色（Ｒｅｄ）成分データの差分のＶの情報で色を表現するものである。
【００２４】
操作Ｋｅｙユニット（ＳＷ１〜１５）は、図２（ａ）〜（ｃ）に示したデジタルカメラの外観表面に設けられているレリーズスイッチＳＷ１、モードダイヤルスイッチＳＷ２、望遠側ズームスイッチ[ＴＥＬＥ]ＳＷ５、広角側ズームスイッチ[ＷＩＤＥ]ＳＷ６、メニューＳＷ１４、ＯＫスイッチＳＷ９等であり、撮影者の操作に応じた動作指示信号がＳＵＢ−ＣＰＵ（１０９）を介してプロセッサ（１０４）に入力される。ＣＰＵブロック（１０４−３）は、さらに、ストロボ回路（１１４）を制御することによって、ストロボ発光部（１）から照明光を発光させる。これに加えて、ＣＰＵブロック（１０４−３）は、測距ユニット（２）も制御する。
【００２５】
ＣＰＵブロック（１０４−３）は、プロセッサ（１０４）のＳＵＢ−ＣＰＵ（１０９）に接続され、ＳＵＢ−ＣＰＵ（１０９）は、ＬＣＤドライバ（１１１）を介してサブＬＣＤ（１０）の表示制御を行う。ＳＵＢ−ＣＰＵ（１０９）は、更に、ＡＦＬＥＤ（Light Emitting Diode）（８）、ストロボＬＥＤ（９）、リモコン受光部（１１）、操作スイッチＳＷ１〜ＳＷ１５からなる操作キーユニット、及びブザー（１１３）に接続されている。
【００２６】
ＵＳＢブロック（１０４−５）は、ＵＳＢコネクタ（１２２）に接続され、シリアルブロック（１０４−６）は、シリアルドライバ回路（１２３−１）を介してＲＳ‐２３２Ｃコネクタ（１２３−２）に接続されている。ＴＶ信号表示ブロック（１０４−９）は、ＬＣＤドライバ（１１７）を介してＬＣＤモニタ（５）に接続されると共に、ＴＶ信号表示ブロック（１０４−９）から出力されたビデオ信号を、７５Ωインピーダンスに変換するための増幅器であるビデオアンプリファイア（１１８）を介してカメラをＴＶ等の外部表示機器に接続するためのジャックであるビデオジャック（１１９）に接続されている。メモリカードコントローラブロック（１０４−１０）は、メモリカードスロットル（１２１）のカード接点との接点に接続されている。
【００２７】
ＬＣＤドライバ（１１７）は、ＬＣＤモニタ（５）を駆動すると共に、ＴＶ信号表示ブロック（１０４−９）から出力されたビデオ信号を、ＬＣＤモニタ（５）に表示させる信号に変換する役割を果たす。ＬＣＤモニタ（５）は、撮影前の被写体の状態監視、撮影画像確認、及びメモリカード（１２１−１）又は内蔵メモリ（１２０）に記録された画像データ表示のために用いられる。
【００２８】
撮影者がモードダイヤルスイッチＳＷ２を撮影モードに設定し、電源ＳＷ１５をＯＮすることにより、デジタルカメラが撮影モードで起動する。この動作をＲＯＭ（１０８）の制御プログラムが検知することにより、モータドライバ（７−５）に制御信号を出力し、鏡胴ユニット（４）を撮影可能位置に移動させ、ＣＣＤイメージセンサ（１０１）、Ｆ／Ｅ−ＩＣ（１０２）、及びプロセッサ（１０４）等を起動させる。この状態で鏡胴ユニット（４）を被写体に向けることにより、被写体画像がＣＣＤイメージセンサ（１０１）の各画素の受光面上に結像され、ＣＣＤイメージセンサ（１０１）より出力された電気信号（アナログＲＧＢ画像信号）は、Ｆ／Ｅ−ＩＣ（１０２）を介して１２ビットのＲＡＷ−ＲＧＢ画像データに変換される。
【００２９】
このＲＡＷ−ＲＧＢ画像データは、プロセッサ（１０４）のＣＣＤ１信号処理ブロック（１０４−１）に取り込まれ、ＳＤＲＡＭ（１０３）に保存される。そしてＳＤＲＡＭ（１０３）から読み出されたＲＡＷ−ＲＧＢ画像データは、ＣＣＤ２信号処理ブロック（１０４−２）において表示可能な形式であるＹＵＶデータに変換された後、ＳＤＲＡＭ（１０３）にＹＵＶデータが保存される。その後、ＳＤＲＡＭ（１０３）から読み出されたＹＵＶデータは、ＴＶ信号表示ブロック（１０４−９）を介して、ＬＣＤモニタ（５）に送られ、撮影画像が表示される。
【００３０】
上記したＬＣＤモニタ（５）に画像を表示しているモニタリング時においては、ＣＣＤ１信号処理ブロック（１０４−１）による画素数の間引き処理により、１／３０秒の時間で１フレームが読み出されている。ここでいうモニタリングとは、電子ファインダとして機能するＬＣＤモニタ（５）に撮影画像が表示されているだけで、撮影者によるレリーズスイッチＳＷ１操作が行われていない状態である。この撮影画像のＬＣＤモニタ（５）への表示により、撮影画像を撮影者が確認することができる。なお、ＴＶ信号表示ブロック（１０４−９）から、ビデオジャック（１１９）に接続されたケーブルを介して外部に設けられたテレビに、ビデオＡＭＰ（１１８）を通して撮影画像を表示させることもできる。
【００３１】
ＣＣＤ１信号処理ブロック（１０４−１）は、取り込まれたＲＡＷ−ＲＧＢ画像データにより、自動合焦のＡＦ評価値、自動露出のＡＥ評価値、及びオートホワイトバランスのＡＷＢ評価値を算出する。ＡＦ評価値は、例えば、高周波成分抽出フィルタの出力積分値や、近接画素の輝度差の積分値によって算出される。合焦状態にあるときは、被写体のエッジ部分がはっきりとしているため、高周波成分が一番高くなる。これを利用して、合焦検出動作時であるＡＦ動作時には、ＦＯＣＡＳ光学系（７−２）のＦＯＣＡＳレンズ（７−２ａ）位置におけるＡＦ評価値を取得して、高周波成分が一番高くなる点を合焦検出位置として、ＡＦ動作が実行される。
【００３２】
ＡＥ評価値とＡＷＤ評価値は、ＲＡＷ−ＲＧＢ画像データにおけるＲＧＢ値のそれぞれの積分値から算出される。例えば、ＣＣＤイメージセンサ（１０１）の全画素の受光面に対応した画面を、水平１６分割、垂直１６分割である２５６エリアに等分割し、それぞれのエリアのＲＧＢ積算を算出する。そして、ＲＯＭ（１０８）に存在する制御プログラムは、算出されたＲＧＢ積算値を読み出し、ＡＥ処理では、画面のそれぞれのエリアの輝度を算出し、輝度分布から適正な露光量が決定される。決定した露光量に基づいて、ＣＣＤイメージセンサ（１０１）の電子シャッタ回数、絞りユニット（７−３）の絞り値等の露光条件を設定する。
【００３３】
またＡＷＢ処理では、ＲＧＢの分布から被写体の光源の色に合わせた制御値が決定される。このＡＷＢ処理により、ＣＣＤ２信号処理ブロック（１０４−２）において、ＹＵＶデータに変換するときのホワイトバランスを合わせている。なお、上記したＡＥ処理とＡＷＢ処理とは、モニタリング時には、連続的に実行されている。そして上記したモニタリング動作時に、レリーズスイッチＳＷ１が、半押しから全押しに押圧操作され、静止画撮影動作が開始されると、合焦位置検出動作であるＡＦ動作と静止画記録処理が行われる。
【００３４】
すなわち、レリーズスイッチＳＷ１が半押しから全押しに押圧されると、ＲＯＭ（１０８）の制御プログラムから、モータドライバ（７−５）に対する駆動指令により、ＦＯＣＡＳレンズ（７−２ａ）が移動し、合焦させる。そして、上記したＡＥ処理が行われ、露光開始時点で、ＲＯＭ（１０８）の制御プログラムからモータドライバ（７−５）への駆動指令により、メカシャッタ（７−４ａ）が閉じられ、ＣＣＤイメージセンサ（１０１）から静止画用のアナログＲＧＢ画像信号が出力され、Ｆ／Ｅ−ＩＣ（１０２）のＡ／Ｄ（１０２−３）でＲＡＷ−ＲＧＢ画像データに変換される。
【００３５】
そして、このＲＡＷ−ＲＧＢ画像データは、プロセッサ（１０４）のＣＣＤ１信号処理ブロック（１０４−１）に取り込まれ、ＣＣＤ２信号処理ブロック（１０４−２）においてＹＵＶ変換され、ＳＤＲＡＭ（１０３）に保存される。そして、このＹＵＶデータは、ＳＤＲＡＭ（１０３）から読み出されてＲＥＳＩＺＥブロック（１０４−８）で記録画素数に対応するサイズに変換され、ＪＰＥＧ  ＣＯＤＥＣブロック（１０４−７）でＪＰＥＧ形式等の画像データへと圧縮される。圧縮されたＪＰＥＧ形式等の画像データは、ＳＤＲＡＭ（１０３）に書き戻された後、メモリカードコントローラブロック（１０４−１０）を介して、メモリカード（１２１−１）等のメディアに保存される。
【００３６】
次に、本発明の実施形態に係る撮像装置におけるデジタルカメラの動作について説明する。図４及び図５は、本発明の実施形態に係る撮像装置において、電源ＯＮから画質劣化を通知するまでの動作について説明するフロー図である。本発明の実施形態に係る撮像装置は、図４に示す通り、ステップ１０（Ｓ１０）の処理において電源スイッチＳＷ１５の操作により、カメラ電源がＯＮされ、ステップ１１（Ｓ１１）の処理において撮影モードに移行する。
【００３７】
そして、ステップ１２（Ｓ１２）の処理において、温度センサ（１０１−５）がＣＣＤイメージセンサ（１０１）の温度の測定を開始する。ステップ１３（Ｓ１３）の処理では、予めＲＯＭ（１０８）に記憶されている生産工程における欠陥画素検査時のＣＣＤイメージセンサ（１０１）の温度上限値と、現在測定されたＣＣＤイメージセンサ（１０１）の実際の温度とが比較される。
【００３８】
現在測定されたＣＣＤイメージセンサ（１０１）の実際の温度の方が高い場合（Ｓ１３：Ｙ）には、ステップ１４（Ｓ１４）の処理へ移行し、ＬＣＤモニタ（５）に、ＣＣＤイメージセンサ（１０１）の温度上昇により画質劣化の可能性がある旨を表示し、撮影者に伝える。また、現在測定されたＣＣＤイメージセンサ（１０１）の実際の温度の方が低い場合（Ｓ１３：Ｎ）、ステップ１５（Ｓ１５）の処理へ移行し、再びＣＣＤイメージセンサ（１０１）の温度の測定が開始される。その後、処理は終了する。
【００３９】
次に、図５に示す通り、ステップ２０（Ｓ２０）の処理において電源スイッチＳＷ１５の操作により、カメラ電源がＯＮされ、ステップ２１（Ｓ２１）の処理において撮影モードに移行する。そして、ステップ２２（Ｓ２２）の処理において、温度センサ（１０１−５）がＣＣＤイメージセンサ（１０１）の実際の温度の測定を開始する。ステップ２３（Ｓ２３）の処理では、予めＲＯＭ（１０８）に記憶されている生産工程における欠陥画素検査時のＣＣＤイメージセンサ（１０１）の温度上限値と、現在測定されたＣＣＤイメージセンサ（１０１）の実際の温度とが比較される。
【００４０】
現在測定されたＣＣＤイメージセンサ（１０１）の実際の温度の方が高い場合（Ｓ２３：Ｙ）には、ステップ２４（Ｓ２４）の処理へ移行し、ＬＣＤモニタ（５）に、ＣＣＤイメージセンサ（１０１）の温度上昇により画質劣化の可能性があるため、カメラの感度設定、又は露光時間設定の何れか一方の設定上限を制限する旨を表示し、撮影者に伝える。そして、ステップ２５（Ｓ２５）の処理において、カメラの感度設定、又は露光時間設定の何れか一方の設定値を制限する。また、現在測定されたＣＣＤイメージセンサ（１０１）の実際の温度の方が低い場合（Ｓ２３：Ｎ）、ステップ２６（Ｓ２６）の処理へ移行し、再びＣＣＤイメージセンサ（１０１）の温度の測定が開始される。その後、処理は終了する。なお、ステップ２５（Ｓ２５）の処理において、欠陥画素に伴う画質劣化が発生し難い撮影条件への設定変更、例えば、撮影時間を短くし撮影露光時間を短くするか、感度設定を低感度側に変更するかの何れか一方を、撮影者に選択させても良い。
【００４１】
次に、図４のステップ（Ｓ１４）、又は図５のステップ（Ｓ２４）において、撮影者に伝えるメッセージの表示例について説明する。図６は、本発明の実施形態に係る撮像装置において、図４のフロー図におけるステップ１４（Ｓ１４）及び図５のフロー図におけるステップ２４（Ｓ２４）におけるＬＣＤモニタに表示されるメッセージについて説明する図である。
【００４２】
図６（ａ）、（ｂ）は、図４に記載したフロー図のステップ１３（Ｓ１３）の処理において、現在測定されたＣＣＤイメージセンサ（１０１）の実際の温度が、予めＲＯＭ（１０８）に記憶されている生産工程における欠陥画素検査時のＣＣＤイメージセンサ（１０１）の温度上限値を上回ったと判断された場合に、ステップ１４（Ｓ１４）の処理において、ＬＣＤモニタ（５）に表示されるメッセージの具体例である。
【００４３】
図６（ｂ）は、図５に記載したフロー図のステップ２３（Ｓ２３）の処理において、現在測定されたＣＣＤイメージセンサ（１０１）の温度が、予めＲＯＭ（１０８）に記憶されている生産工程における欠陥画素検査時のＣＣＤイメージセンサ（１０１）の温度上限値を上回ったと判断された場合に、ステップ２４（Ｓ２４）の処理において、ＬＣＤモニタ（５）に表示されるメッセージの具体例である。また、図６（ｃ）は、図５に記載したフロー図のステップ２５（Ｓ２５）の処理において、カメラの感度設定、又は露光時間設定の何れか一方の設定値を制限する場合に、ＬＣＤモニタ（５）に表示されるメッセージの具体例である。
【００４４】
次に、生産工程において、ＣＣＤイメージセンサ（１０１）の温度とＩＳＯ感度とが組み合わせて登録されている点について説明する。図７は、本発明の実施形態に係る撮像装置において、生産工程で登録された撮影時に使用される欠陥画素情報について説明する図である。デジタルカメラの生産工程中の欠陥画素検査工程においては、図７に示すように、ＣＣＤイメージセンサ（１０１）の温度（１）〜（Ｎ）と、ＩＳＯ感度（１）〜（Ｎ）とを組み合わせた複数のテーブルデータをＲＯＭ（１０８）に予め記憶しておくことにより、所定のＣＣＤイメージセンサ（１０１）の温度とＩＳＯ感度における欠陥画素の検出及び登録が行われる。
【００４５】
図７に示すように、予め組み合わせて記録された複数の欠陥画素情報は、撮影時点におけるＣＣＤイメージセンサ（１０１）の温度及びＩＳＯ感度が示す数値が、何れの組み合わせに該当するかが検出されることにより、ＣＣＤイメージセンサ（１０１）の温度上昇による画質劣化、及び過補正による画質劣化を防止し、良好な画像が得られるようにしている。
【００４６】
次に、本発明の実施形態に係る撮像装置におけるデジタルカメラの動作について説明する。図８は、本発明の実施形態に係る撮像装置において、撮影時の動作について説明するフロー図である。本発明の実施形態に係る撮像装置は、図８に示す通り、ステップ６０（Ｓ６０）の処理において電源スイッチＳＷ１５の操作により、カメラ電源がＯＮされ、ステップ６１（Ｓ６１）の処理において撮影モードに移行する。
【００４７】
そして、ステップ６２（Ｓ６２）の処理において撮影動作が実行されると、ステップ６３（Ｓ６３）の処理においてＣＣＤイメージセンサ（１０１）の実際の温度、及び設定されたＩＳＯ感度情報が取得される。ステップ６４（Ｓ６４）の処理では、現時点で取得されたＣＣＤイメージセンサ（１０１）の実際の温度及びＩＳＯ感度の組み合わせに対応する値が、図７に示した予めＲＯＭ（１０８）に記憶されているＣＣＤイメージセンサ（１０１）の欠陥画素情報の中に存在するか否かが判断される。
【００４８】
現時点で取得されたＣＣＤイメージセンサ（１０１）の実際の温度及びＩＳＯ感度の組み合わせに対応する値が、図７に示す欠陥画素情報の中に存在する場合には（Ｓ６４：Ｙ）、ステップ６５（Ｓ６５）の処理において、対応する値である欠陥画素情報を用いた画質補正が実施される。現時点で取得されたＣＣＤイメージセンサ（１０１）の実際の温度及びＩＳＯ感度の組み合わせに対応する値が、図７に示す欠陥画素情報の中に存在しない場合には（Ｓ６４：Ｎ）、ステップ６６（Ｓ６６）の処理へ移行し、図５のステップ２２（Ｓ２２）の処理へ移行する。ステップ６５（Ｓ６５）の処理で、欠陥画素情報を用いた画質補正が実施されると処理は終了する。
【００４９】
以上説明したように、本発明では、撮影モード時における撮像装置のイメージセンサの温度を監視し、イメージセンサの温度が、生産工程中の欠陥画素検査において記憶されたイメージセンサの欠陥画素の補正限界である温度上限値を超えていると判断された場合、現状の撮影モードでは欠陥画素の補正限界を超えている旨を表示し、撮影者に画質劣化の可能性を通知している。そして、撮影者に対して、欠陥画素に伴う画質劣化が発生し難い撮影条件への設定変更、例えば、撮影時間を短くし撮影露光時間を短くするか、感度設定を低感度側に変更するかの何れか一方を選択させる、又は撮像装置の感度設定、露光秒時設定の何れか一方の設定値を制限することとしている。
【００５０】
また、生産工程における欠陥画素検査では、イメージセンサの温度管理をし、所定の間隔毎にイメージセンサの温度とＩＳＯ感度との組み合わせにおける欠陥画素の検出及び登録を行い、撮影モード時におけるイメージセンサの温度とＩＳＯ感度との組み合わせに対応する、欠陥画素検査において予め記憶されたイメージセンサの温度とＩＳＯ感度との組み合わせからなる欠陥画素情報を使用した画質補正を行うことにより、欠陥画素に対する過補正に伴う画質劣化を防止している。
【００５１】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５２】
１    ストロボ発光部
２    測距ユニット
３    光学ファインダ
４    鏡胴ユニット
５    ＬＣＤモニタ
６    電池蓋
７−１    ＺＯＯＭ光学系
７−１ａ    ＺＯＯＭレンズ
７−１ｂ    ＺＯＯＭモータ
７−２    ＦＯＣＵＳ光学系
７−２ａ    ＦＯＣＵＳレンズ
７−２ｂ    ＦＯＣＵＳモータ
７−３    絞りユニット
７−３ａ    絞り
７−３ｂ    絞りモータ
７−４    メカシャッタユニット
７−４ａ    メカシャッタ
７−４ｂ    メカシャッタモータ
７−５    モータドライバ
８    ＡＦＬＣＤ
９    ストロボＬＥＤ
１０    サブＬＣＤ
１１    リモコン受光部
１０１    ＣＣＤイメージセンサ
１０１−５    温度センサ
１０２−１    ＣＤＳ
１０２−２    ＡＧＣ
１０２−３    Ａ／Ｄ
１０２−４    ＴＧ
１０３    ＳＤＲＡＭ
１０４    ディジタルスチルカメラプロセッサ
１０４−１    ＣＣＤ１信号処理ブロック
１０４−２    ＣＣＤ２信号処理ブロック
１０４−３    ＣＰＵブロック
１０４−４    Ｌｏｃａｌ  ＳＲＡＭ
１０４−５    ＵＳＢブロック
１０４−６    シリアルブロック
１０４−７    ＪＰＥＧ  ＣＯＤＥＣブロック
１０４−８    ＲＥＳＩＺＥブロック
１０４−９    ＴＶ信号表示ブロック
１０４−１０    メモリカードコントローラブロック
１０７    ＲＡＭ
１０９    ＳＵＢ−ＣＰＵ
１１１    ＬＣＤドライバ
１１３    ブザー
１１４    ストロボ回路
１１５    音声記録ユニット
１１５−１    音声記録回路
１１５−２    マイクＡＭＰ
１１５−３    マイク
１１６    音声再生ユニット
１１６−１    音声再生回路
１１６−２    オーディオＡＭＰ
１１６−３    スピーカ
１１７    ＬＣＤドライバ
１１８    ビデオＡＭＰ
１１９    ビデオジャック
１２１    メモリカードスロットル
１２１−１    メモリカード
１２１−２    ＬＡＮカード
１２１−３    無線ＬＡＮカード
１２２    ＵＳＢコネクタ
１２３−１    シリアルドライバ回路
１２３−２    ＲＳ−２３２Ｃコネクタ
１３０    イーサネット（登録商標）接続回路又は無線イーサネット（登録商標）回路
１３１    ＬＡＮコネクタ
【先行技術文献】
【特許文献】
【００５３】
【特許文献１】特開２００８−１８７２５５号公報
【図１】
2014039206.tif 000003
【図２】
2014039206.tif 000004
【図３】
2014039206.tif 000005
【図４】
2014039206.tif 000006
【図５】
2014039206.tif 000007
【図６】
2014039206.tif 000008
【図７】
2014039206.tif 000009
【図８】
2014039206.tif 000010